(57)【要約】【課題】昇降支柱をその昇降動軸心が「ずれる」ことなくロックして位置決めする。【解決手段】基台２に対し開脚及び閉脚可能でかつ垂下に装設された３本の脚からなる三脚３と、基台２の中心部位の支承孔４に対して昇降動可能に装設されかつ上端部に測量機器等を載置する脚頭５を有する昇降支柱６と、昇降支柱６を昇降機構７を介して昇降動する手動操作ハンドルとを備えた測量用三脚であって、基台２には昇降支柱６の外周に対向されかつ昇降支柱６の径方向に進退動可能に装設された作動ロッド１２と、作動ロッドの先端部に装設されかつその両端が昇降支柱６の外周側方にそれぞれ対向された作動アーム１３と、その曲折部位１５aが基台2に対し支軸14を介して水平方向への回動可能に装設されるとともに、一方端部が昇降支柱6の外周面に接離可能に対向されかつ他方端部が作動アーム１３両端部に支軸１３ａ及び長孔１３ｂを介して回動可能にそれぞれ連接された一対のクランプアーム１５とから構成する。【選択図】図３
2010107367.tif 000002
【特許請求の範囲】
【請求項１】
基台に対し開脚及び閉脚可能でかつ垂下に装設された３本の脚からなる三脚と、基台の中心部位の支承孔に対して昇降動可能に装設されかつ上端部に測量機器等を載置する脚頭を有する昇降支柱と、この昇降支柱を昇降機構を介して昇降動する手動操作ハンドルとを備えた測量用三脚であって、
前記基台には前記昇降支柱の外周に対向されかつ該昇降支柱の径方向に進退動可能に装設された作動ロッドと、この作動ロッドの先端部に装設されかつその両端が前記昇降支柱の外周側方にそれぞれ対向された作動アームと、その曲折部位が前記基台に対し支軸を介して水平方向への回動可能に装設されるとともに、一方端部が前記昇降支柱の外周面に接離可能に対向されかつ他方端部が前記作動アームの両端部に支軸及び長孔を介して回動可能にそれぞれ連接された一対のクランプアームとからなり、該一対のクランプアームは、前記作動ロッドを前記昇降支柱に向かって進動した時にはその一方端部が前記支軸を介して回動されて前記昇降支柱の外周両側から同時に圧接して該昇降支柱をクランプ状態となし、作動ロッドを退動した時にはその一方端部が前記支軸を介して復帰回動されて前記昇降支柱の外周両側から退避して該昇降支柱をアンクランプ状態となすように構成したことを特徴とする測量用三脚。
【請求項２】
請求項１記載の測量用三脚であって、前記作動ロッドの先端部を前記一対のクランプアームによるクランプ時と同期して前記昇降支柱の外周に圧接して、該昇降支柱を一対のクランプアーム及び作動ロッドの先端部の三点でクランプするように構成したことを特徴とする測量用三脚。
【請求項３】
請求項１記載の測量用三脚であって、前記基台の支承孔の少なくと上下部位に前記昇降支柱の昇降動を案内しかつ自由な降下動を規制するガイドリングが装設され、このガイドリングは、その内周の周方向に所定の間隔をおいて形出されかつ径方向への弾性が付与された少なくとも３本以上の嵌合爪片を備えて、この各嵌合爪片により前記昇降支柱の外周を弾性的に支承するように構成されていることを特徴とする測量用三脚。
【発明の詳細な説明】
【技術分野】
【０００１】
本発明は、各種の測量機器等を載置するための脚頭が昇降支柱とともに昇降動する、いわゆる、エレベータ三脚と称する測量用三脚に関するものである。
【背景技術】
【０００２】
一般に、この種の測量用三脚においては、基台に対し三本の脚柱からなる三脚が開脚及び閉脚可能に装設され、この基台の中心部位の挿通孔に対し昇降支柱が昇降動可能に嵌挿され、この昇降支柱の上端部に測量機器等を載置するための脚頭が装設されていて、さらに、基台には昇降支柱をウオーム及びピニオン等からなる歯車機構を介して昇降動する手動操作ハンドルが設けられるとともに、該昇降支柱を任意の高さに定置（固止）する固定ねじ手段が螺入状態で設けられており、その使用に際し、手動操作ハンドルの回転操作によって昇降支柱を基台に対し昇降動して昇降支柱の位置（高さ）を任意に設定するとともに、固定ねじ手段の締め付け操作によって該昇降支柱を基台に対して固止し、その脚頭に設置された測量機器が測定すべき部位に対応する任意の設置状態（高さ）に設定し得るように構成されている（特許文献１参照）。
【特許文献１】特開平１１−５１６５３号公報
【発明の開示】
【発明が解決しようとする課題】
【０００３】
しかしながら、上記した測量用三脚にあっては、基台に対し昇降支柱を固定する場合に
は、上述のように、固定ねじ手段による締め付け操作によって行う構造であるため、必然的に昇降支柱が基台に対する昇降時の中心軸線（昇降動軸心ともいう。）と「ずれる」状態、すなわち、昇降支柱が基台の挿通孔との嵌め合い公差分だけ、基台の嵌挿の固定前にした軸心と締め付け固定後の軸心とが「ずれた」状態で固定されることになる。
この結果、とくに、光学機器においては同部位での微小の「ずれ」が実際の測定すべき地点に対応では大きな「ずれ」となって現れ、昇降支柱における再度の調整設定を必要とするものであり、その作業が非常に面倒かつ煩わしいものであった。
そこで、本発明は、上記した従来の問題点に鑑み、基台に対し、昇降支柱をその昇降動軸心が「ずれる」ことなくロックして位置決めすることができる測量用三脚とを課題とする。
また、本発明は、昇降支柱と架台の昇降動軸心を常に整合した状態を保持して円滑な昇降動作を得ることができる測量用三脚を提供することを課題とする。
【課題を解決するための手段】
【０００４】
本発明の上記した課題は、以下の請求項記載の発明により解決される。
すなわち、請求項１記載の発明は、基台に対し開脚及び閉脚可能でかつ垂下に装設された３本の脚からなる三脚と、基台の中心部位の支承孔に対して昇降動可能に装設されかつ上端部に測量機器等を載置する脚頭を有する昇降支柱と、この昇降支柱を昇降機構を介して昇降動する手動操作ハンドルとを備えた測量用三脚であって、
前記基台には前記昇降支柱の外周に対向されかつ該昇降支柱の径方向に進退動可能に装設された作動ロッドと、この作動ロッドの先端部に装設されかつその両端が前記昇降支柱の外周側方にそれぞれ対向された作動アームと、その曲折部位が前記基台に対し支軸を介して水平方向への回動可能に装設されるとともに、一方端部が前記昇降支柱の外周面に接離可能に対向されかつ他方端部が前記作動アームの両端部に支軸及び長孔を介して回動可能にそれぞれ連接された一対のクランプアームとからなり、該一対のクランプアームは、前記作動ロッドを前記昇降支柱に向かって進動した時にはその一方端部が前記支軸を介して回動されて前記昇降支柱の外周両側から同時に圧接して該昇降支柱をクランプ状態となしたことを要旨とする。
この構成によれば、操作ロッドを昇降支柱側に向かう進動作することによって作動アーム全体が昇降支柱側にともに移動（進動）されて一対のクランプアームの他方端部をそれぞれ同時に押動するため、該一対のクランプアームが支軸を中心として水平方向でかつ昇降支柱の外周に向かう方向に回動され、その一方端部が昇降支柱の外周両側から同時に圧接して昇降支柱をクランプ状態とし、また、操作ロッドを退動作することによって作動アーム全体がともに移動（退動）されて一対のクランプアームの他方端部をそれぞれ同時に引き戻すため、該一対のクランプアームが支軸を中心として昇降支柱の外周から退避する方向に復帰回動され、その一方端部が昇降支柱の外周両側から同時に退避して昇降支柱をアンクランプ状態とするものであり、一対のクランプアームによって昇降支柱の外周両側面を同時に押圧挟持して該昇降支柱をその基台の支承孔の中心（昇降動軸心）と整合された軸心でクランプすることができるとともに、アンクランプ後の昇降支柱を基台の支承孔の中心（昇降動軸心）との整合性を常に保持された昇降動がなし得るものである。
【０００５】
請求項２記載の発明は、請求項１記載の測量用三脚であって、前記作動ロッドの先端部を前記一対のクランプアームによるクランプ時と同期して前記昇降支柱の外周に圧接して、該昇降支柱を一対のクランプアーム及び作動ロッドの先端部の三点でクランプするように構成したことを要旨とする。
この構成によれば、昇降支柱の外周に対する一対のクランプアームのクランプ動作を同期して作動ロッドの先端部を該昇降支柱の外周に圧接し、この一対のクランプアームと作動ロッドの先端との三点により昇降支柱をクランプするものであり、昇降支柱をその基台の支承孔の中心（昇降動軸心）と整合された軸心でクランプすることができるものであり、前記請求項１と同様に、昇降支柱をその基台の支承孔の中心（昇降動軸心）と整合された軸心でクランプすることができるとともに、アンクランプ後の昇降支柱を基台の支承孔の中心（昇降動軸心）との整合性を常に保持された昇降動がなし得るものである。
【０００６】
請求項３記載の発明によれば、請求項１記載の測量用三脚であって、前記基台の支承孔の少なくと上下部位に前記昇降支柱の昇降動を案内しかつ自由な降下動を規制するガイドリングが装設され、このガイドリングは、その内周の周方向に所定の間隔をおいて形出されかつ径方向への弾性が付与された少なくとも３本以上の嵌合爪片を備えて、この各嵌合爪片により前記昇降支柱の外周を弾性的に支承するように構成されていることを要旨とする。
この構成によれば、ガイドリングにおける嵌合爪片によって昇降支柱を弾性的に支承することにより、アンクランプ状態での昇降支柱を基台の支承孔の中心（昇降動軸心）との整合性を常に保持された昇降動がなし得るものである。
【発明の効果】
【０００７】
請求項１記載の発明によれば、一対のクランプアームによって昇降支柱の外周両側面を同時に押圧挟持して該昇降支柱をその基台の支承孔の中心(昇降動軸心)と整合された軸心でクランプすることができるとともに、アンクランプ後の昇降支柱を基台の支承孔の中心 （昇降動軸心）との整合性を常に保持された昇降動が遂行できる。
【０００８】
請求項２記載の発明によれば、前記請求項１と同様に、昇降支柱をその基台の支承孔の中心（昇降動軸心）と整合された軸心でクランプすることができるとともに、アンクランプ後の昇降支柱を基台の支承孔の中心 （昇降動軸心）との整合性を常に保持された昇降動が遂行できる効果に加え、安定したクランプ状態を得ることができる。
【０００９】
請求項３記載の発明によれば、アンクランプ状態での昇降支柱を基台の支承孔の中心（昇降動軸心）との整合性を常に保持された昇降動がなし得る。
【発明を実施するための最良の形態】
【００１０】
次に、本発明を実施するための最良の形態について、実施例にしたがって説明する。
（実施例）
【００１１】
以下、本発明の実施例を図にしたがって説明する。図１は本実施例の測量用三脚の全体を略字する斜視図、図２はガイドリングを分解した基台の斜視図、図３は昇降支柱に対するクランプ手段を示す斜視図、図４はクランプ手段の斜視図、図５は昇降支柱に対するガイドリングの取付け状態を示す斜視図、図６はブレーキリングを示す平断面図、図７は昇降支柱に昇降機構を示す斜視図、図８は昇降機構を示す分解斜視図、図９は昇降機構を示す側面図である。
図１、図３、図７に示すように、本実施例の測量用三脚１は、大別すると、基台２と、この基台２に対し開脚及び閉脚可能でかつ垂下に装設された３本の脚３ａ〜３ｃからなる三脚３と、該基台２の中心部位を貫通して昇降動可能に装設されかつ上端部に測量機器等を載置する脚頭５を有する昇降支柱６と、この昇降支柱６を昇降動する昇降機構７と、基台２に対して昇降支柱６を固止するクランプ手段８とから構成されている。
【００１２】
前記基台２は、上部が扁平面となした座部２ａと該座部２ａ上に組付け固定される釣鐘状のハウジング部２ｂとからなり、このハウジング部２ｂ内には昇降支柱６が上下方向に貫通されるとともに、該昇降支柱６の下端部が前記座部２ａから下方に延出されかつ上端部が前記ハウジング部２ａの上面から上方に延出されている。なお、昇降支柱６における前記座部２ａ及び前記ハウジング部２ａから延出される部位には蛇腹状の保護カバー９、９がそれぞれ装設されている。
【００１３】
前記昇降支柱６には、図７に示すように、その外周一部に後述する昇降機構７のピニオン歯車２１と噛合されるラック１０が予め設定された昇降動範囲に対応して軸方向に形成され、その反対側の外周一部にコ字状のガイド溝１１が同じく軸方向刻設されている。
そして、昇降支柱６は前記ハウジング部内の上下開口部位における同軸心上に形成された上下の支承孔４、４に対して後述するガイドリング１７、１７を介して昇降動可能に支承されている。なお、昇降支柱６は両支承孔４、４に対する支承状態において、該ガイドリング１７、１７側に形成された突起部がガイド溝１１に嵌合された構成とすることによって、該昇降支柱６の軸回りの回動を阻止するものである。
【００１４】
前記クランプ手段８は、図２〜図４に示すように、前記ハウジング部２ｂ内において、前記昇降支柱６の外周に対向されかつ該昇降支柱６の径方向に進退動可能に装設された作動ロッド１２と、この作動ロッド１２の先端部に装設されかつその両端が前記昇降支柱６の外周側方にそれぞれ対向された作動アーム１３と、その曲折部位１５ａが前記基台２に対し支軸１４を介して水平方向への回動可能に装設されるとともに、一方端部が前記昇降支柱６の外周面に接離可能に対向されかつ他方端部が前記作動アーム１３の両端部に支軸１３ａ及び長孔１３ｂを介して回動可能にそれぞれ連接された一対のクランプアーム１５，１５とから構成されている。
前記作動ロッド１２は、その軸部位に形成されたねじ部１２ａが前記ハウジング部２ｂに形成されたねじ孔２ｃに対して螺合状態で支承されており、該ハウジング部２ｂから延出された外端部には操作ノブ１６が設けられるとともに、その内端部は若干先細状に丸く形成されて前記昇降支柱６のガイド溝１１の底部に当接可能に対向されている。
【００１５】
しかして、このクランプ手段８は、操作ロッド１２を昇降支柱６側に向かう螺進することによって、作動アーム１３全体を昇降支柱６側にともに移動（進動）して、一対のクランプアーム１５、１５の他方端部をそれぞれ同時に押動するため、該一対のクランプアーム１５、１５を、支軸１４、１４を中心として水平方向でかつ昇降支柱６の外周に向かう方向に回動し、その一方端部を昇降支柱６の外周両側から同時に圧接して該昇降支柱６をクランプ状態とするとともに、前記作動ロッド１２の内端部を昇降支柱６のガイド溝１１の底部に当接させる。すなわち、両クランプアーム１５、１５及び作動ロッド１２の先端部の３点で昇降支柱６をクランプし、また、操作ロッド１２を螺退することによって作動アーム１３全体をともに移動して、一対のクランプアーム１５、１５の他方端部をそれぞれ同時に引き戻し、該一対のクランプアーム１５、１５を、支軸１４を中心として昇降支柱６の外周から退避する方向に復帰回動し、その一方端部を昇降支柱６の外周両側から同時に退避して該昇降支柱６をアンクランプ状態とするように構成されている。
【００１６】
前記ガイドリング１７、１７は、図２及び図５、図６に示すように、所望の幅を有する合成樹脂製のリング状に形成され、その外周の一部がスリットにより割形状としてその径方向に所定の弾性力が付与されるように構成されており、その内径面（内周面）には所定の間隔をおいて形出されかつ径方向への弾性が付与された少なくとも３本以上（図では内周全体に１５本の場合を示す。）の嵌合爪片１８〜１８が径方向内側に向けて一体状に突設されている。また、ガイドリング１７、１７の前記スリットの対向する部位の内面側には前記昇降支柱６のガイド溝１１に嵌合する突起部１７ａが一体状に突設されるとともに、その外面側には前記ハウジング部２ｂの上下の両支承孔４、４に形成された取付環状溝４ａの凹部４ｂに嵌合係止する係止突部１７ｂが一体状に突設されている。
しかして、ガイドリング１７、１７は、基台２のハウジング部２ｂにおける上下の両支承孔４、４に対し取付環状溝４ａを介して弾性的に嵌着され、その係止突部１７ｂを取付環状溝４ａの凹部４ｂに嵌合係止し、突起部１７ａを昇降支柱６のガイド溝１１に嵌合することによって昇降支柱６の軸回りの回動を阻止するとともに、径方向内方への弾性が付与された嵌合爪片１８〜１８が昇降支柱６の外周面に均等に圧接状に当接されて該昇降支柱６を両支承孔４、４の軸中心と整合された軸中心で保持（支持）するように構成されている。
【００１７】
前記昇降支柱６を昇降動する昇降機構７は、該昇降支柱６のラック１０側において、前記基台２の座部２ａに装設されたほぼ半円弧状の軸受部１９を有する一対の軸受ブロック２０と、この軸受ブロック２０に回転可能に支承されたピ二オン歯車２１と、前記基台２のハウジング部２ｂに回転可能に支承され、先端（内端）軸部に前記ピ二オン歯車２１と噛合されたウオーム歯車２２を有する操作軸２３と、ハウジング部２ｂから延出された前記操作軸２３に対し折曲可能の連結されたハンドル２４とから構成されている。
前記軸受ブロック２０における軸受部１９は、１／４円弧面と、これに延長する部位に縦孔２５が形成され、この縦孔２５内には圧縮ばね２６により上方に付勢された軸押え杆２７が弾装され、この軸押え杆２７の上端は前記基台２の座部２ａに対し４５度の角度で傾斜された軸受斜面２８が前記ラック１０面側に面して（向かって）形成されており、軸受面における１／４円弧面と軸押え杆２７の４５度の角度で傾斜された軸受面２８とにより前記ピ二オン歯車２１の軸部を支承するものであり、該軸押え杆２７における圧縮ばね２６による上方への付勢力と、前記ラック１０面側に面して（向かって）４５度の角度で傾斜された軸受斜面２８とにより、ピ二オン歯車２１を前記ラック１０及びウオーム歯車２２に対して弾力が付与された噛合状態を得るものである。
これによって、昇降機構７における各歯車の噛合部位の磨耗に対して生ずるバックラッシュ等の不具合に対して確実に自動調整し得、その噛合不良の状態の解消して常に良好な噛合状態を得ることができる。
【００１８】
本実施例の測量用三脚１は、上述のように構成されたものであり、その脚頭５に対して種々の測量機器（図示しない）等を載置して使用され、該脚頭５に載置した測量機器等の高さ位置、すなわち、脚頭５の高さを調節する場合には、ハンドル２４を回転操作して、その操作軸２３とともにウオーム歯車２２を回転して、これに噛合されたピ二オン歯車２１を回転すると、該ピ二オン歯車２１に噛合する昇降支柱６のラック１０を介して該昇降支柱６が基台２のハウジング部２ｂに対して昇降動され、その上端部の脚頭５の高さが調節されるものである。
【００１９】
この場合、昇降支柱６は、基台２のハウジング部２ｂにおける上下の支承孔４、４に対して弾性的に嵌着されたガイドリング１７、１７、すなわち、径方向内方への弾性が付与された嵌合爪片１８〜１８によって、該両支承孔４、４の軸中心と常に整合された軸中心で保持（支持）された状態でその昇降動がなされるものであり、その係止突部１７ｂが取付環状溝４ａの凹部４ｂに、かつ突起部１７ａが昇降支柱６のガイド溝１１に嵌合されていることによって、昇降支柱６の軸回りの回動が阻止されるものである。
【００２０】
また、昇降機構７にあっては、ピ二オン歯車２１の軸部の軸受けを構成する軸押え杆２７が圧縮ばね２６による上方への付勢力と、ラック１０面側に面して（向かって）４５度の角度で傾斜された軸受斜面２８とにより、該ピ二オン歯車２１を前記ラック１０及びウオーム歯車２２に対して弾力が付与された噛合状態を得ることができるため、昇降機構７における各歯車の噛合部位の磨耗に対して生ずるバックラッシュ等の不具合に対して確実に自動調整して、その噛合不良の状態の解消して常に良好な噛合状態を得ることができるものである。
【００２１】
そして、上記のように、上端部の脚頭５の高さが調節された状態の昇降支柱６を基台２に対して固止する場合には、操作ロッド１２を昇降支柱６側に向かう方向に螺進することによって、作動アーム１３全体が昇降支柱６側にともに移動（進動）される。
これに伴って一対のクランプアーム１５、１５の他方端部がそれぞれ同時に押動されるため、該一対のクランプアーム１５、１５が支軸１４、１４を中心として水平方向でかつ昇降支柱６の外周に向かう方向に回動され、その一方端部を昇降支柱６の外周両側から同時に圧接して該昇降支柱６をクランプ状態とするとともに、前記作動ロッド１２の内端部を昇降支柱６のガイド溝１１の底部に当接させる。
すなわち、両クランプアーム１５、１５及び作動ロッド１２の先端部の３点で昇降支柱６をクランプすることができる。（図１０参照）
また、操作ロッド１２を螺退することによって、前述とは逆に作動アーム１３全体がともに移動され、一対のクランプアーム１５、１５の他方端部がそれぞれ同時に引き戻され、該一対のクランプアーム１５、１５が支軸１４を中心として昇降支柱６の外周から退避する方向に復帰回動し、その一方端部を昇降支柱６の外周両側から同時に退避して該昇降支柱６をアンクランプ状態とする。（図１１参照）
【００２２】
このことは、昇降支柱６をその基台２の支承孔４、４の中心（昇降動軸心）と整合された軸心でクランプすることができるとともに、アンクランプ後の昇降支柱６を基台２の支承孔４，４の中心 （昇降動軸心）との整合性を常に保持された昇降動が遂行でき、安定したクランプ状態を得ることができるものである。
【００２３】
この場合、作動アーム１３に対するクランプアーム１５、１５の支軸１４、１４を中心とする回動は支軸１３ａ及び長孔１３ｂの構成により許容されるものである。
【００２４】
本実施例は、上述のように構成したものであるが、各部位の構成にあっては、本発明の主旨を逸脱しない範囲において種々変更が可能である。
【図面の簡単な説明】
【００２５】
【図１】本実施例の測量用三脚の全体を略字する斜視図である。
【図２】ガイドリングを分解した基台の斜視図である。
【図３】昇降支柱に対するクランプ手段を示す斜視図である。
【図４】クランプ手段の斜視図である。
【図５】昇降支柱に対するガイドリングの取付け状態を示す斜視図である。
【図６】ガイドリングを示す平断面図である。
【図７】昇降支柱に昇降機構を示す斜視図である。
【図８】昇降機構を示す分解斜視図である。
【図９】昇降機構を示す側面図である。
【図１０】クランプ手段のクランプ時の動作説明図である。
【図１１】同じくクランプ手段のアンクランプ時の動作説明図である。
【符号の説明】
【００２６】
１  測量用三脚
２  基台
３  三脚
４  支承孔
５  脚頭
６  昇降支柱
７  昇降機構
８  クランプ手段
１２  作動ロッド
１３  作動アーム
１５  クランプアーム
【図１】
2010107367.tif 000003
【図２】
2010107367.tif 000004
【図３】
2010107367.tif 000005
【図４】
2010107367.tif 000006
【図５】
2010107367.tif 000007
【図６】
2010107367.tif 000008
【図７】
2010107367.tif 000009
【図８】
2010107367.tif 000010
【図９】
2010107367.tif 000011
【図１０】
2010107367.tif 000012
【図１１】
2010107367.tif 000013